(57)【特許請求の範囲】
【請求項１】
内部に先端から後端まで通じる流路が形成されたチューブであって、
筒状の外壁と、該外壁内に設けられ、チューブ先端から軸方向の中間位置まで延びる仕切り部と、を備え、
前記外壁内には、前記仕切り部によって仕切られた軸方向に延びる複数の流路が形成され、
それら複数の流路は前記仕切り部の後端部分で１つに合流し、
前記外壁における前記流路に対応する位置には、流路方向に、チューブ先端から前記仕切り部の後端寄りの位置まで延びる切裂補助部が形成されている、チューブ。
【請求項２】
先端から順に吸引管部、連結管部及び流出管部を有し、それらの内部に先端から後端まで通じる流路が形成されており、
前記仕切り部が先端から前記連結管部の後端まで設けられ、
前記切裂補助部が先端から前記吸引管部の後端まで形成されている、請求項１に記載のチューブ。
【請求項３】
前記吸引管部及び前記連結管部の内部に、前記仕切り部によって中心軸回りに仕切られた複数の流路が形成されている、請求項２に記載のチューブ。
【請求項４】
前記吸引管部及び前記連結管部の内部に、前記仕切り部によって中心軸回りに仕切られた４つの流路が形成されている、請求項３に記載のチューブ。
【請求項５】
前記切裂補助部が溝である、請求項１〜４のいずれか一項に記載のチューブ。
【発明の詳細な説明】
【技術分野】
【０００１】
本発明は、チューブに関する。
【背景技術】
【０００２】
従来、術後等に患部に溜まった血液等の体液を体外に排出する外科用医療用具として、ドレンと流出管とがコネクタにより連結された傷部ドレンカテーテルが用いられていた（例えば、特許文献１）。該傷部ドレンカテーテルのドレンにおいては、円筒状の外壁内に先端から後端まで延びる断面十字状の仕切り部が設けられて軸方向に延びる４つの流路が形成され、かつ外壁にそれら４つの流路のそれぞれに沿って延びるスリットが形成されている。
【０００３】
前記傷部ドレンカテーテルを使用する際には、例えば、ドレン及びコネクタの部分を体内に挿入してドレンを患部に留置し、流出管における後端側の部分を体外に出して吸引機等に接続する。これにより、患部に溜まった血液等がドレンのスリット部分から流路内に入り、流出管を通じて体外に排出される。
しかし、このようなコネクタによってドレンと流出管を接続するものは、接続作業が必要になり製造が煩雑になる。また、体内から引き抜く際に、コネクタからドレンが外れて体内に残ったり、流出管がコネクタから外れてドレンとコネクタが体内に残ったりするおそれがある。
【０００４】
近年では、血液等の体液を体外に排出する外科用医療用具として、例えば、先端から順に吸引管部、連結管部及び流出管部が一体に形成され、それらの内部に先端から後端まで通じる流路が形成されたドレーンチューブが広く用いられている。該ドレーンチューブにおいては、吸引管部及び連結管部内に、吸引管部の先端から連結管部の後端まで延びる断面十字状の仕切り部が設けられ、吸引管部及び連結管部の内部に、該仕切り部によって仕切られた軸方向に延びる４つの流路が形成されている。それら複数の流路は連結管部と流出管部の境界部分で１つに合流している。また、吸引管部の外壁には、４つの流路のそれぞれに対応するように、吸引管部の先端から後端まで各流路に沿って延びる４つのスリットが形成されている。連結管部は、スリットが形成されていない。
【０００５】
該ドレーンチューブを使用する際には、吸引管部及び連結管部を体内に挿入して吸引管部を患部に留置し、流出管部における後端側の部分を体外に出して吸引機等に接続する。ドレーンチューブは、吸引管部、連結管部及び流出管部が一体に形成されているため、体内から引き抜く際に吸引管部が連結管部から外れるおそれがない。また、ドレーンチューブは押出成形により簡便に製造することができる。
【先行技術文献】
【特許文献】
【０００６】
【特許文献１】米国特許第４４６５４８１号明細書
【発明の概要】
【発明が解決しようとする課題】
【０００７】
しかし、このようなスリットが形成された従来のドレーンチューブでは、各々のスリットの長さを処置現場で自由に調節することはできない。処置現場でスリットの長さを自由に調節し、体内において体液を吸引する範囲を自在に制御できることは非常に重要である。
【０００８】
本発明は、外壁に形成するスリットの長さを自由に調節できるチューブを提供することを目的とする。
【課題を解決するための手段】
【０００９】
本発明は、以下の構成を有する。
［１］内部に先端から後端まで通じる流路が形成されたチューブであって、筒状の外壁と、該外壁内に設けられ、チューブ先端から軸方向の中間位置まで延びる仕切り部と、を備え、前記外壁内には、前記仕切り部によって仕切られた軸方向に延びる複数の流路が形成され、それら複数の流路は前記仕切り部の後端部分で１つに合流し、前記外壁には、流路方向に、チューブ先端から前記仕切り部の後端寄りの位置まで延びる切裂補助部が形成されている、チューブ。
［２］先端から順に吸引管部、連結管部及び流出管部を有し、それらの内部に先端から後端まで通じる流路が形成されており、前記仕切り部が先端から前記連結管部の後端まで設けられ、前記切裂補助部が先端から前記吸引管部の後端まで形成されている、［１］に記載のチューブ。
［３］前記吸引管部及び前記連結管部の内部に、前記仕切り部によって中心軸回りに仕切られた複数の流路が形成されている、［２］に記載のチューブ。
［４］前記吸引管部及び前記連結管部の内部に、前記仕切り部によって中心軸回りに仕切られた４つの流路が形成されている、［３］に記載のチューブ。
［５］前記切裂補助部が溝である、［１］〜［４］のいずれかに記載のチューブ。
【発明の効果】
【００１０】
本発明のチューブは、外壁に形成するスリットの長さを自由に調節できる。
【図面の簡単な説明】
【００１１】
【図１】本発明のチューブの一例であるドレーンチューブを示した斜視図である。
【図２】図１のドレーンチューブの先端近傍を拡大した斜視図である。
【図３】図１のドレーンチューブの連結管部近傍を拡大した側面図である。
【図４】図１のドレーンチューブのＡ−Ａ断面図である。
【図５】図１のドレーンチューブのＢ−Ｂ断面図である。
【図６】図１のドレーンチューブのＣ−Ｃ断面図である。
【図７】図１のドレーンチューブの吸引管部にスリットを形成した様子を示した断面図である。
【図８】本発明のチューブにおける他のドレーンチューブを示した図であり、図８（Ａ）は連結管部の周辺を拡大した側面図であり、図８（Ｂ）は吸引管部の断面図であり、図８（Ｃ）は連結管部の断面図であり、図８（Ｄ）は流出管部の断面図である。
【図９】本発明のチューブにおける他の例のドレーンチューブを示した図であり、図９（Ａ）は吸引管部の断面図であり、図９（Ｂ）は連結管部の断面図であり、図９（Ｃ）は流出管部の断面図である。
【図１０】本発明のチューブにおける他の例のドレーンチューブの吸引管部を示した断面図である。
【発明を実施するための形態】
【００１２】
本発明において、吸引管部とは、チューブの先端側に位置し、外壁の内部に仕切り部によって複数の流路が形成され、かつチューブ先端からそれら流路の１つ以上に沿って外壁に切裂補助部が形成されている部分を意味する。
流出管部とは、チューブの後端側に位置し、外壁の内部に仕切り部を有さず、かつ切裂補助部も形成されていない部分を意味する。
連結管部とは、チューブにおける吸引管部と流出管部の間に位置し、外壁の内部に仕切り部によって複数の流路が形成され、かつ切裂補助部が形成されていない部分を意味する。吸引管部と連結管部との境界は、チューブの外壁に先端から延びるように形成された切裂補助部のうち、最も長い切裂補助部の後端の位置と一致する。連結管部と流出管部との境界は、仕切り部の後端の位置と一致する。
【００１３】
以下、本発明のチューブの一例として、ドレーンチューブを示して説明する。
本実施形態のドレーンチューブ１は、図１〜６に示すように、チューブ先端１ａから順に吸引管部２、連結管部３及び流出管部４が一体に形成されている。吸引管部２、連結管部３及び流出管部４は、円筒状の可撓性を有する外壁１０を備えており、外壁１０の内部にチューブ先端１ａからチューブ後端１ｂまで通じる流路が形成されている。
【００１４】
外壁の厚みは、ドレーンチューブの柔軟性、体内に挿入した際の潰れにくさ、ミルキング操作の際の切れにくさ等を考慮し、ドレーンチューブの外径、材料等に応じて適宜設定すればよい。外壁の厚みは、例えば、０．４〜２．０ｍｍとすることができる。
【００１５】
吸引管部２及び連結管部３内には、図２〜５に示すように、チューブ先端１ａから連結管部３の後端３ａまで延びる仕切り部１２が設けられている。このように、ドレーンチューブ１における外壁１０内には、チューブ先端１ａから軸方向の中間位置まで延びる仕切り部１２が設けられている。
この例の仕切り部１２は、吸引管部２及び連結管部３の内部において中心軸に沿って延びる棒状の芯部１４と、芯部１４から外壁１０の内面まで延び、かつ吸引管部２及び連結管部３の軸方向に延びるように形成された４つの帯状の仕切り板１６と、を備える。
【００１６】
４つの仕切り板１６は、ドレーンチューブ１の軸方向に垂直な方向に切断した断面において、軸周りに９０度間隔で芯部１４から放射状に形成されている。これにより、吸引管部２及び連結管部３の内部には、仕切り部１２によって中心軸回りに仕切られた４つの流路２０が形成されている。図３及び図６に示すように、吸引管部２及び連結管部３の内部に形成された４つの流路２０は、連結管部３と流出管部４の境界部分で１つに合流し、流出管部４内において１つの流路２２になっている。このように、４つの流路２０は、仕切り部１２の後端部分で１つに合流している。
【００１７】
仕切り板の厚みは、特に限定されず、該仕切り板によって仕切られる流路の広さ、体内に挿入した際の吸引管部及び連結管部の潰れにくさ等を考量して適宜設定すればよい。仕切り板の厚みは、例えば、０．４〜１．０ｍｍとすることができる。
仕切り板の厚みは、芯部から外壁まで一定であってもよく、変化していてもよい。仕切り板が屈曲して吸引管部及び連結管部が潰れることを抑制しやすい点では、仕切り板の厚みは芯部から外壁まで一定であることが好ましい。
【００１８】
本発明では、吸引管部及び連結管部の内部に形成される流路の数は、４には限定されず、３以下であってもよく、５以上であってもよい。例えば、ドレーンチューブの軸方向に垂直な方向に切断した断面において、吸引管部及び連結管部の内に、軸周りに１２０度間隔で芯部から放射状に３つの仕切り板が形成された仕切り部を備え、吸引管部及び連結管部の内部に該仕切り部によって中心軸周りに３つの流路が形成された態様であってもよい。
【００１９】
流路の数が増えるほど仕切り部の仕切り板の数が増えるため、流路が狭くなって吸引量が低下する傾向があり、また体内に挿入したときに吸引管部及び連結管部が潰れにくくなる傾向がある。流路の広さと体内に挿入したときの吸引管部及び連結管部の潰れにくさのバランスの点では、吸引管部及び連結管部の内部に形成される流路の数は、２〜４が好ましく、４が特に好ましい。
【００２０】
吸引管部２の外壁１０には、図１〜４に示すように、仕切り部１２で仕切られた４つの流路２０のそれぞれに沿って流路方向に延びる４つ切裂補助部１８が、チューブ先端１ａから吸引管部２の後端２ａまで形成されている。すなわち、吸引管部２の外壁１０には、４つの流路２０のそれぞれに対応する位置に、チューブ先端１ａから仕切り部１２の後端寄りの位置まで延びる切裂補助部１８が形成されている。
【００２１】
ドレーンチューブ１においては、吸引管部２の外壁１０に切裂補助部１８が形成されているため、吸引管部２の外壁１０を切裂補助部１８に沿って引き裂くことで、外壁１０にスリットを形成することができる。外壁１０に切裂補助部１８に沿って軸方向にスリットを形成した状態においては、吸引管部２の外周部分からスリットを通じて流路２０内に体液を吸引することができる。これにより、スリットが無い場合に比べて体内のより広い範囲から体液を吸い出すことが可能となる。
【００２２】
吸引管部２の外壁１０に形成するスリットの軸方向の長さは、外壁１０を切裂補助部１８に沿って引き裂く長さを調節することで適宜調節することができる。このように、ドレーンチューブ１においては、処置現場でスリットの長さを自由に調節し、体内において体液を吸引する範囲を自在に制御することができる。
【００２３】
本発明においては、吸引管部に形成される切裂補助部は、ドレーンチューブの軸方向に沿って延び、またその先端がチューブ先端に達している。そのため、吸引管部の外壁を引き裂いてスリットを形成する際には、チューブ先端から切裂補助部に沿って外壁を引き裂いてスリットを形成することができる。このようにして外壁に形成したスリットは、その先端がチューブ先端に達している。これにより、吸引管部を体内に留置している際に体内組織がスリット部分に入り込むように成長しても、吸引管部を体外に引き抜くときに該体内組織がスリットに沿って吸引管部のチューブ先端まで移動して抜ける。そのため、吸引管部を体外に引き抜くときにスリット部分に入り込んだ体内組織が引き裂かれることを抑制することができる。
【００２４】
この例の切裂補助部１８は、外壁１０の外周面から内側に向かって凹むように形成された溝からなる。このように、切裂補助部１８の厚みが外壁１０における厚みよりも薄いことで、切裂補助部１８に沿って外壁１０を引き裂くことができるようになっている。
外壁の厚みに対する溝からなる切裂補助部の厚みの比は、外壁の材質等に応じて、切裂補助部に沿って外壁を引き裂くことができるように適宜設定すればよく、例えば、０．２５〜１．５ｍｍとすることができる。
溝からなる切裂補助部の幅は、吸引管部の外径、体液の吸引量等を考量して、ドレーンチューブの外径等に応じて適宜決定すればよい。切裂補助部の幅は、例えば、０．４〜１．２ｍｍとすることができる。
【００２５】
なお、切裂補助部の態様は、吸引管部の外壁を該切裂補助部に沿って引き裂くことができる態様であればよく、溝からなる態様には限定されない。例えば、ミシン目からなる切裂き補助部であってもよい。
【００２６】
本発明においては、切裂補助部の数は、４には限定されず、３以下であってもよく、５以上であってもよい。また、外壁に形成される切裂補助部の数は、外壁の内部に形成される流路の数と同じであってもよく、又は外壁内部に形成される流路の数より少なくてもよい。
例えば、ドレーンチューブ１のように吸引管部の内部に４つの流路が形成されている場合、吸引管部の外壁における３つの流路にそれぞれに対応する位置に、先端から３つの流路が形成されている態様であってもよい。
【００２７】
外壁に形成される各々の切裂補助部の長さは、同じであってもよく、異なっていてもよい。処置現場において外壁に形成するスリットの長さの自由度が高くなる点では、全ての切裂補助部の長さが同じになっていることが好ましい。
吸引管部及び切裂補助部の軸方向の長さは、特に限定されず、ドレーンチューブを体内に留置する位置を考慮して適宜決定すればよい。
【００２８】
本発明においては、連結管部の軸方向の長さは、３０〜１５０ｍｍが好ましく、５０〜１００ｍｍがより好ましい。連結管部の軸方向の長さが下限値以上であれば、ドレーンチューブの製造がより容易になる。連結管部の軸方向の長さが上限値以下であれば、連結管部における流動抵抗がより小さくなり、吸引機による吸引が強くなくても吸引量を充分に高くすることが容易になる。そのため、体内に溜まった体液を短期間に排出することが容易になり、また流路が詰まりにくくなる。
【００２９】
流出管部４は、使用時において少なくとも後端側の一部が体外に露出した状態とされる部分である。ドレーンチューブ１の使用時においては、流出管部４の後端は吸引機等に接続される。
流出管部４においては、外壁１０内に仕切り部１２が設けられておらず、内部が１つの流路２２となっている。
流出管部４の長さは、特に限定されず、適宜設定することができる。
【００３０】
ドレーンチューブの外径は、特に限定されず、用途に応じて適宜設定すればよい。ドレーンチューブの外径は、例えば、２〜１０ｍｍとすることができる。
吸引管部、連結管部及び流出管部の外径は、体内への挿入及び体内からの引き抜きが容易な点から、同じであることが好ましい。なお、本発明の効果、体内への挿入性及び対外への引き抜き性を損なわない範囲であれば、吸引管部、連結管部及び流出管部の外径は異なっていてもよい。
【００３１】
本発明のドレーンチューブを形成する材料としては、シリコーンゴムが好ましい。シリコーンゴムは、軟質ポリウレタン等に比べて柔軟である。そのため、ドレーンチューブをシリコーンゴムで形成することで、吸引管部を体内の目的の位置に留置させることが容易になる。
【００３２】
ドレーンチューブには、造影剤を配合して、Ｘ線を用いた造影を可能とすることが好ましい。特にドレーンチューブにおいて体内に挿入される部分である吸引管部及び連結管部に造影剤を配合することが好ましい。これにより、吸引管部が体内の目的の位置に留置されたかどうかの確認が可能となる。また、チューブを引き抜く際に吸引管部や連結管部が万が一切れたとしても、体内に存在する切断部分を確認できるため、予期せずチューブが体内に取り残されることを防ぐことができる。
【００３３】
造影剤としては、公知のものを使用することができ、例えば、酸化チタン、硫酸バリウム等が挙げられる。
造影剤としては、１種を単独で使用してもよく、２種以上を組み合わせて使用してもよい。
【００３４】
ドレーンチューブへの造影剤の配合量が多いほど、ドレーンチューブの強度が低下して切れやすくなったり、体内へ挿入した際に潰れやすくなったりする傾向がある。そのため、ドレーンチューブに造影剤を配合する場合は、ドレーンチューブにおける特定の部位に部分的に造影剤を配合することが好ましい。
具体的には、例えば、ドレーンチューブ１の場合、仕切り部１２における４つの仕切り板１６のうちの１つにその先端から後端まで造影剤を配合することができる。また、吸引管部２、連結管部３及び流出管部４の肉厚の一部に造影剤を配合することもできる。
【００３５】
造影剤を配合したドレーンチューブとしては、例えば、図８に例示したドレーンチューブ１Ａが挙げられる。図８における図３〜６と同じ部分は同符号を付して説明を省略する。ドレーンチューブ１Ａは、造影剤が配合された造影ライン４０が形成されている以外は、ドレーンチューブ１と同じである。
造影ライン４０は、図８（Ａ）〜（Ｄ）に示すように、ドレーンチューブ１Ａの先端から後端まで形成されている。また、図８（Ｂ）及び図８（Ｃ）に示すように、吸引管部２及び連結管部３の長さ方向に垂直な断面においては、造影ライン４０は、仕切り部１２の４つの仕切り板１６のうちの１つにおける径方向の中間部から外壁１０にかけて形成されている。
【００３６】
ドレーンチューブ１を使用する際には、図７に示すように、吸引管部２の外壁１０をチューブ先端１ａから切裂補助部１８に沿って引き裂き、任意の長さのスリット１９を形成する。このとき、切裂補助部１８に沿って形成するスリット１９の長さは、体液を吸引する範囲に応じて適宜決定することができる。
ドレーンチューブにおいては、吸引管部に形成されたスリットからの体液の吸引圧は、該スリットにおける流出管部に近い後端側で最も高くなる。そのため、外壁を引き裂いて形成する各々のスリットの長さを調節し、チューブの軸方向における各スリットの後端の位置をより大きくずらすことで、体内のより広い範囲から体液を効率的に排出できる。また、チューブの軸方向における各スリットの後端位置のずれを小さくすれば、体内の狭い範囲から体液を効率的に排出することができる。
なお、ドレーンチューブ１の使用時には、４つの切裂補助部１８を必ずしも全て利用する必要はない。例えば、３つの切裂補助部１８を利用して、吸引管部２の外壁１０における３つの流路２０に対応する位置に３つのスリット１９を形成し、残りの１つの流路２０に対応する位置にはスリット１９が形成されないようにしてもよい。
【００３７】
吸引管部２の外壁１０にスリット１９を形成した後は、吸引管部２及び連結管部３を体内に挿入して吸引管部２を患部に留置し、流出管部４における後端側の部分を体外に出して吸引機等に接続する。この状態で吸引機等によって吸引することで、患部に溜まった血液等がドレーンチューブ１のスリット１９又はチューブ先端１ａから流路２０内に入り、連結管部３及び流出管部４を通じて体外に排出される。
【００３８】
ドレーンチューブの製造方法は、特に限定されず、公知の方法を採用することができる。ドレーンチューブの製造方法としては、例えば、外壁部分に溝を形成できる押出成形用金型を用いた押出成形により、溝からなる切裂補助部が形成された吸引管部、連結管部及び流出管部を一体に成形する方法が挙げられる。また、押出成形によって、切裂補助部が形成されていない吸引管部、連結管部及び流出管部を一体に成形した後に、該吸引管部の外壁にレーザー加工等によってミシン目等からなる切裂補助部を形成する方法を採用してもよい。
【００３９】
以上説明したドレーンチューブにおいては、吸引管部の外壁に、複数の流路のそれぞれに対応する軸方向に延びる切裂補助部が形成されているため、該切裂補助部を利用して吸引管部の外壁に容易にスリットを形成することができる。また、処置現場において、処置者の判断に応じて各スリットの後端位置をずらしたり一致させたり自由にスリット長さを調節することができる。そのため、本発明で示したドレーンチューブを用いれば、予めスリットが形成されたドレーンチューブに比べて、状況に応じて体液を吸引する範囲を自在に制御し、より高効率に体液を排出することができる。
【００４０】
なお、本発明のチューブは、前記したドレーンチューブ１には限定されない。例えば、本発明のチューブは、吸引管部内に形成される流路の数と、該吸引管部の外壁に形成される切裂補助部の数が一致していないドレーンチューブであってもよい。
具体的には、吸引管部２の外壁１０において、４つの流路２０のうちの２つに対応する位置に２つの切裂補助部１８が流路方向に形成されている以外は、ドレーンチューブ１と同じドレーンチューブであってもよい。すなわち、吸引管部２に切裂補助部１８を４つ形成する代わりに切裂補助部を２つ形成する以外は、ドレーンチューブ１と同じドレーンチューブであってもよい。
【００４１】
切断補助部が２つのドレーンチューブにおいても、ドレーンチューブ１と同様に、吸引管部の外壁に形成された２つの切裂補助部を利用してスリット長さを容易に調節できるため、状況に応じて体液を吸引する範囲を自在に制御し、より高効率に体液を排出することができる。
また、切断補助部が２つのドレーンチューブにおいては、吸引管部の外壁における切裂補助部が形成されていない２つの流路に対応する部分には、スリットが形成されない。そのため、スリットが形成された２つの流路においては、連結管部と近い側で体液の吸引量が多くなる一方、スリットが形成されていない流路では先端部分から体液が吸引される。これにより、体内のより広範囲から容易に体液を排出することができる。
【００４２】
本発明のチューブは、図９に例示したドレーンチューブ１Ｂであってもよい。図９において図４〜６と同じ部分は同符号を付して説明を省略する。
ドレーンチューブ１Ｂは、円筒状の外壁１０の代わりに楕円筒状の外壁１０Ａを備え、吸引管部２及び連結管部３に仕切り部１２の代わりに仕切り部１２Ａを備える以外は、ドレーンチューブ１と同じである。
【００４３】
仕切り部１２Ａは、図９（Ａ）及び図９（Ｂ）に示すように、ドレーンチューブ１Ｂのチューブ先端から連結管部３の後端まで延びる、３つの帯状の第１仕切り板２４、第２仕切り板２６及び第３仕切り板２８を備える。第１仕切り板２４及び第２仕切り板２６は、外壁１０Ａにおける長軸方向の両方の先端寄りにおいて、短軸方向に延びて外壁１０Ａ内を仕切るように設けられている。第３仕切り板２８は、第１仕切り板２４及び第２仕切り板２６の長さ方向の中間部同士を繋ぐように延び、外壁１０Ａ内における第１仕切り板２４及び第２仕切り板２６の間を仕切るように設けられている。
【００４４】
吸引管部２及び連結管部３の内部には、仕切り部１２Ａによって中心軸回りに仕切られた４つの流路２０Ａが形成されている。吸引管部２及び連結管部３の内部に形成された４つの流路２０Ａは、連結管部３と流出管部４の境界部分で合流し、図９（Ｃ）に示すように、流出管部４内において１つの流路２２Ａになっている。
【００４５】
吸引管部２の外壁１０Ａには、仕切り部１２Ａで仕切られた４つの流路２０Ａのそれぞれに沿って延びる４つ切裂補助部１８が、先端から吸引管部２の後端まで形成されている。すなわち、吸引管部２の外壁１０Ａには、４つの流路２０Ａのそれぞれに対応する位置に、先端から吸引管部２の後端まで延びる切裂補助部１８が形成されている。
【００４６】
ドレーンチューブ１Ｂにおいても、ドレーンチューブ１と同様に、吸引管部２の外壁に形成された４つの切裂補助部１８を利用してスリット長さを容易に調節できるため、状況に応じて体液を吸引する範囲を自在に制御し、より高効率に体液を排出することができる。
また、ドレーンチューブ１Ｂは、楕円筒状の外壁１０Ａを備えるために円筒状の外壁１０を備えるドレーンチューブ１に比べて扁平状であり、厚みを薄くすることができるため、体内において臓器の裏側等の狭い部分に吸引管部２を留置することが容易である。このように、ドレーンチューブ１Ｂは、臓器の裏側等の狭い場所の体液を排出する際に好適に使用される。
【００４７】
また、ドレーンチューブ１Ｂは、臓器の裏側等に留置するため、Ｘ線によっても位置を確認することが困難になる可能性がある。そのため、ドレーンチューブ１Ｂのような扁平形状のドレーンチューブに造影剤を配合する場合は、吸引管部及び連結管部の全体に造影剤を配合することが好ましい。
【００４８】
本発明のチューブは、図１０に例示したドレーンチューブ１Ｃであってもよい。図１０において図４と同じ部分は同符号を付して説明を省略する。
ドレーンチューブ１Ｃは、吸引管部２の外壁１０に、切裂補助部１８の代わりに切裂補助部１８Ａが形成されている以外はドレーンチューブ１と同じである。切裂補助部１８Ａは、外壁１０の内周面から外側に向かって凹むように形成された溝からなる以外は、切裂補助部１８と同じである。
【００４９】
ドレーンチューブ１Ｃにおいても、ドレーンチューブ１と同様に、吸引管部２の外壁に形成された４つの切裂補助部１８Ａを利用してスリット長さを容易に調節できるため、状況に応じて体液を吸引する範囲を自在に制御し、より高効率に体液を排出することができる。
【００５０】
また、本発明のチューブは、吸引管部及び連結管部内において、仕切り部によって中心軸回りに仕切られた複数の流路が形成されたドレーンチューブには限定されない。例えば、本発明のチューブは、吸引管部及び連結管部内が軸方向に並行して延びる仕切り板によって仕切られ、軸方向に延びる複数の流路が幅方向に並ぶように形成されたドレーンチューブであってもよい。
【００５１】
本発明のチューブは、前述したように、ドレーンチューブにおいて特に有効である。しかし、本発明のチューブは、ドレーンチューブには限定されない。軸方向に延びる複数の流路のそれぞれに対応するように、チューブ先端から仕切り部の後端寄りの位置まで延びる切裂補助部が外壁に形成され、スリット長さを自由に調節できるものであれば、ドレーンチューブ以外のチューブであってもよい。ドレーンチューブ以外のチューブとしては、体内の広範囲に薬液等を投与する等の用途に用いられるチューブ等が挙げられる。
【符号の説明】
【００５２】
１，１Ａ，１Ｂ  ドレーンチューブ
２  吸引管部
３  連結管部
４  流出管部
１０，１０Ａ  外壁
１２，１２Ａ  仕切り部
１４  芯部
１６  仕切り板
１８、１８Ａ  切裂補助部
１９  スリット
２０，２０Ａ，２２，２２Ａ  流路
２４  第１仕切り板
２６  第２仕切り板
２８  第３仕切り板
【図１】
0006523102.tif 000002
【図２】
0006523102.tif 000003
【図３】
0006523102.tif 000004
【図４】
0006523102.tif 000005
【図５】
0006523102.tif 000006
【図６】
0006523102.tif 000007
【図７】
0006523102.tif 000008
【図８】
0006523102.tif 000009
【図９】
0006523102.tif 000010
【図１０】
0006523102.tif 000011